(57)【特許請求の範囲】
【請求項１】
ダウンリンク物理リソースの無線フレーム内で物理報知チャンネルの送信を繰り返すステップを含み、
前記送信を繰り返すステップは、複数のパターンの内の１つを有する前記無線フレーム内で前記物理報知チャンネルの送信を複数回繰り返すステップを含み、
前記複数のパターンは前記無線フレーム内での前記物理報知チャンネルの繰返し送信の入れ子集合を含む、ワイヤレス通信ネットワーク基地局の制御方法。
【請求項２】
前記複数のパターンのそれぞれは、前記無線フレーム内で前記物理報知チャンネルの異なる繰返し送信数を含む、請求項１に記載の方法。
【請求項３】
少ない繰返し送信数を有するパターンは多い繰返し送信数を有するパターンのサブセットを含む、請求項１または２に記載の方法。
【請求項４】
前記繰返し送信の複数のパターンの間で選択するステップを含む、請求項１または２に記載の方法。
【請求項５】
時間と基地局負荷の内の少なくとも１つに基づいて前記繰返し送信の複数のパターンの間で選択するステップを含む、請求項１または２に記載の方法。
【請求項６】
第１の期間では少ない繰返し数を有する前記複数のパターンの内の１つを選択し、第２の期間では多い繰返し数を有する前記複数のパターンの内の１つを選択するステップを含む、請求項１または２に記載の方法。
【請求項７】
前記繰り返すステップは前記物理報知チャンネルによって伝えられる情報のサブセットの送信を繰り返すステップを含む、請求項１または２に記載の方法。
【請求項８】
前記物理報知チャンネルは前記無線フレーム内でその繰返しの表示を伝える、請求項１または２に記載の方法。
【請求項９】
ダウンリンク物理リソースの無線フレーム内における物理報知チャンネルの送信を繰り返すように動作可能な送信ロジックを含み、
前記送信ロジックは、複数のパターンの内の１つを有する前記無線フレーム内で前記物理報知チャンネルの送信を複数回繰り返すように動作可能であり、前記複数のパターンは前記無線フレーム内での前記物理報知チャンネルの繰返し送信の入れ子集合を含む、ワイヤレス通信ネットワーク基地局。
【請求項１０】
ダウンリンク物理リソースの無線フレーム内における前記物理報知チャンネルの繰返し送信を受信するステップを含み、
前記繰返し送信を受信するステップは、複数のパターンの内の１つを有する前記無線フレーム内で前記物理報知チャンネルの繰返し送信を複数回受信するステップを含み、前記複数のパターンは前記無線フレーム内での前記物理報知チャンネルの繰返し送信の入れ子集合を含む、ワイヤレス通信ユーザ機器の制御方法。
【請求項１１】
ダウンリンク物理リソースの無線フレーム内における前記物理報知チャンネルの繰返し送信を受信するように動作可能な受信ロジックを含み、
前記受信ロジックは、複数のパターンの内の１つを有する前記無線フレーム内で前記物理報知チャンネルの繰返し送信を複数回受信するように動作可能であり、前記複数のパターンは前記無線フレーム内での前記物理報知チャンネルの繰返し送信の入れ子集合を含む、ワイヤレス通信ユーザ機器。
【請求項１２】
コンピュータで実行されるとき、請求項１乃至８または１０のいずれか１項に記載の方法ステップを行うように動作可能なコンピュータ・プログラム。
【発明の詳細な説明】
【技術分野】
【０００１】
本発明は、ワイヤレス通信方法、コンピュータ・プログラム製品、およびネットワーク・ノードに関する。
【背景技術】
【０００２】
ワイヤレス通信システムは既知である。セルラー・システムでは、無線カバレッジがユーザ機器、例えば携帯電話に、セルとして知られているエリア単位で提供される。基地局は各セルに配置され無線カバレッジを提供する。各セルにおけるユーザ機器は基地局から情報やデータを受信し、基地局へ情報やデータを送信する。
【０００３】
基地局によるユーザ機器への情報やデータの送信は、ダウンリンク・チャンネルとして知られる無線キャリアのチャンネルで行われる。ユーザ機器による基地局への情報やデータの送信は、アップリンク・チャンネルとして知られる無線キャリアのチャンネルで行われる。基地局の展開はネットワーク・オペレータにより主に制御され得るが、ユーザ機器の展開はそうではない。ネットワーク内でのユーザ機器の展開は予期しない結果を引き起こす可能性がある。
【発明の概要】
【発明が解決しようとする課題】
【０００４】
したがって、ユーザ機器との通信のために改善された技術を提供することが望まれる。
【課題を解決するための手段】
【０００５】
第１の態様によると、ダウンリンク物理リソースの無線フレーム内で物理報知チャンネルの送信を繰り返すこと含むワイヤレス通信ネットワーク基地局方法が提供される。
【０００６】
第１の態様は、ユーザ機器の展開に伴い深刻化する問題は、ユーザ機器が高減衰を被るエリアに展開される可能性がある、というものであることを認識している。この高減衰は、適切なダウンリンク・トラフィックにアクセスすることができるためには不可欠であるダウンリンク構成情報をユーザ機器が復号することを不能にさせる可能性がある。これは、これらの高減衰エリアに展開されるとき、ユーザ機器は基地局からのトラフィックを効率的に受信することができない、ということを意味する。第１の態様は、また、既存の規格は高減衰展開の状態でこのダウンリンク構成情報を提供するのに適した技術を提供できず、これはそれらの規格を履行するユーザ機器はそのような展開の間ネットワークと通信することができないことを意味すると認識している。第１の態様はさらに、このことは、これらの高減衰エリアに配置されるとき、あるユーザ機器にとって不便であるとしても、そのユーザ機器が低減衰エリアに移動するときカバレッジが復元されるが、一度インストールされると不動である新興部類のユーザ機器（例えばスマート・メータなどのマシン型通信（ＭＴＣ：Ｍａｃｈｉｎｅ  Ｔｙｐｅ  Ｃｏｍｍｕｎｉｃａｔｉｏｎ）デバイスなど）が存在し、それらのユーザ機器には何らのカバレッジも提供されない、ということを認識している。
【０００７】
既存の解決策はそのようなデバイスに対して２０ｄＢのカバレッジ改善を目標にする。物理レイヤでのメッセージの繰返しはそのようなカバレッジ改善を提供する１つの技術である。２０ｄＢの改善を達成すためには、必要な繰返しの理論数は現在使用されている繰返し数よりも１００倍多い。実際には、この繰返しの量は、不完全なチャンネル推定、フェージング、周波数エラー等のために、なお一層多いことが必要になりそうである。繰返しはカバレッジを改善するための単純な方法であるが、特に繰返しの量が非常に多い（百単位）とき、スペクトルを利用することにおいて非常に非効率的である。
【０００８】
しかしながら、第１の態様は、実際の展開においては、全てのＭＴＣデバイスが２０ｄＢのカバレッジ改善を必要とするわけではない、ということを認識している。図１は既存（「通常」と称される）のカバレッジおよび（セル端および地下に配置されたＭＴＣのための）目標カバレッジ拡張から成るセルのカバレッジを示す。通常カバレッジにあるそれらのＭＴＣデバイスについては、何らの追加のカバレッジ強化も不要である。図１に示されるように拡張カバレッジ領域にある、それらのＭＴＣデバイスについては、全てのＭＴＣデバイスが２０ｄＢと同じくらいのカバレッジ拡張を必要とするわけではない。一部のＭＴＣデバイス（例えば、図１で陰影を付けられた領域に配置されたＭＴＣ２）は、２０ｄＢより少ないカバレッジ拡張を必要とし、したがって、これらのデバイスへ／からのメッセージは、２０ｄＢ領域にあるＭＴＣデバイスに比べて少ない繰返しを必要とするであろう。図１における例のように、ＭＴＣ１は２０ｄＢの改善を必要とし、ＭＴＣ２は１３ｄＢのカバレッジ改善を必要とするので、ＭＴＣ２に対する繰返し数はＭＴＣ１の１／４である。ＭＴＣ２に対して最大数より少ない繰返し数を使用することによるリソース節約量は、最大繰返し数が大きい（即ち百単位）ので、かなりのものであり、それによってスペクトル効率をかなり改善する。したがって、ＭＴＣデバイスに対して異なるレベルのカバレッジ拡張を提供することが望ましい。
【０００９】
したがって、基地局方法が提供される。その方法はダウンリンク物理リソースの無線フレーム内で物理報知チャンネルの送信を繰り返すステップを含む。即ち、物理報知チャンネルによって送信されるメッセージは、基地局とユーザ機器との間のダウンリンク上で送信される無線フレーム内で複数回繰り返される可能性がある。物理報知チャンネルの送信を繰り返すことにより、カバレッジは２０ｄＢより少ない可能性のある所望量にまで増やされる。
【００１０】
一実施形態では、送信を繰り返すステップは無線フレーム内で物理報知チャンネルの送信を複数回繰り返すことを含む。したがって、物理報知チャンネルによって送信されるメッセージは２回以上繰り返される。また、このことはカバレッジを改善する助けとなる。
【００１１】
一実施形態では、送信を繰り返すステップは無線フレーム内で物理報知チャンネルの繰返し送信の複数のパターンの内の１つで物理報知チャンネルの送信を繰り返すことを含む。したがって、物理報知チャンネルによって伝えられるメッセージの異なる繰返しの複数のパターンの内の任意の１つが、異なるレベルのカバレッジを提供するために使用され得る。
【００１２】
一実施形態では、複数のパターンのそれぞれは無線フレーム内で物理報知チャンネルの異なる繰返し送信数を有する。したがって、各パターンは提供されるカバレッジを変えるために異なる繰返し数を使用し得る。
【００１３】
一実施形態では、繰返し送信の複数のパターンは無線フレーム内で物理報知チャンネルの繰返し送信の入れ子集合（ｎｅｓｔｅｄ  ｓｅｔ）を含む。パターンの入れ子は、パターンがオーバーラップするので構成を単純化し、それはユーザ機器による送信の復号に役立つ。
【００１４】
一実施形態では、少ない繰返し送信数を有するパターンは、多い繰返し送信数を有するパターンのサブセットを含む。したがって、入れ子された階層における、より高いレベルの各パターンは、入れ子された階層における、より低いレベルのパターンの全ての繰返しを含む。即ち、多い繰返しを有するパターンは、少ない繰返しを有するパターンで作られる全ての繰返し、およびいくつかの追加の繰返しを含む。
【００１５】
一実施形態では、本方法は繰返し送信の複数のパターンの間で選択することを含む。したがって、パターンは、そのカバレッジ・レベルを変えるために基地局によって動的に選択され得る。
【００１６】
一実施形態では、本方法は時間と基地局負荷の内の少なくとも１つに基づいて繰返し送信の複数のパターンの間で選択することを含む。
【００１７】
一実施形態では、本方法は、第１の期間では少ない繰返し数を有する複数のパターンの内の１つの選択し、第２の期間では多い繰返し数を有する複数のパターンの内の１つを選択することを含む。実施形態ではその逆も起こり得ることが理解されよう。
【００１８】
一実施形態では、繰り返すステップは物理報知チャンネルによって伝えられる情報のサブセットの送信を繰り返すステップを含む。繰返しによって伝えられる情報を低減することで、これらの繰返しによって費やされる資源の量を低減させることができ、また高減衰エリアでのユーザ機器に限定された機能を提供し得る。
【００１９】
一実施形態では、物理報知チャンネルは無線フレーム内でその繰返しの表示を伝える。したがって、使用される繰返し数の表示を提供することができ、このことは（より低い減衰エリアに配置されているため）使用される繰返し全数より少ない繰返しで送信を復号することができるユーザ機器に正しい繰返し数の表示を指し示すことになろう。
【００２０】
第２の態様によると、ダウンリンク物理リソースの無線フレーム内で物理報知チャンネルの送信を繰り返すように動作できる送信ロジックを含むワイヤレス通信ネットワーク基地局が提供される。
【００２１】
一実施形態では、その送信ロジックは無線フレーム内で複数回、物理報知チャンネルの送信を繰り返すように動作可能である。
【００２２】
一実施形態では、その送信ロジックは無線フレーム内で物理報知チャンネルの繰返し送信の複数のパターンの内の１つで物理報知チャンネルの送信を繰り返すように動作可能である。
【００２３】
一実施形態では、繰返し送信の複数のパターンは無線フレーム内で物理報知チャンネルの繰返し送信の入れ子集合を含む。
【００２４】
一実施形態では、少ない繰返し送信数を有するパターンは多い繰返し送信数を有するパターンのサブセットを含む。
【００２５】
一実施形態では、基地局は、繰返し送信の複数のパターンの間で選択するように動作可能である選択ロジックを含む。
【００２６】
一実施形態では、選択ロジックは、時間と基地局負荷の内の少なくとも１つに基づいて、繰返し送信の複数のパターンの間で選択するように動作可能である。
【００２７】
一実施形態では、選択ロジックは、第１の期間では少ない繰返し数を有する複数のパターンの内の１つを選択し、第２の期間では多い繰返し数を有する複数のパターンの内の１つを選択するように動作可能である。
【００２８】
一実施形態では、送信ロジックは、物理報知チャンネルによって伝えられる情報のサブセットの送信を繰り返すように動作可能である。
【００２９】
一実施形態では、物理報知チャンネルは無線フレーム内でその繰返しの表示を伝える。
【００３０】
第３の態様によると、ダウンリンク物理リソースの無線フレーム内で物理報知チャンネルの繰返し送信を受信することを含むワイヤレス通信ユーザ機器方法が提供される。
【００３１】
一実施形態では、繰返し送信を受信するステップは無線フレーム内で複数回、物理報知チャンネルの繰返し送信を受信することを含む。
【００３２】
一実施形態では、繰返し送信を受信するステップは無線フレーム内で物理報知チャンネルの繰返し送信の複数のパターンの内の１つを有する物理報知チャンネルの繰返し送信を受信することを含む。
【００３３】
一実施形態では、繰返し送信の複数のパターンは無線フレーム内で物理報知チャンネルの繰返し送信の入れ子集合を含む。
【００３４】
一実施形態では、少ない繰返し送信数を有するパターンは多い繰返し送信数を有するパターンのサブセットを含む。
【００３５】
一実施態様では、本方法は繰返し送信の複数のパターンの間で選択することを含む。
【００３６】
一実施形態では、本方法は、第１の期間では少ない繰返し数を有する複数のパターンの内の１つを選択し、第２の期間では多い繰返し数を有する複数のパターンの内の１つを選択することを含む。
【００３７】
一実施形態では、繰返しは物理報知チャンネルによって伝えられる情報のサブセットの繰返し送信を含む。
【００３８】
一実施形態では、物理報知チャンネルは無線フレーム内でその繰返しの表示を伝える。
【００３９】
第４の態様によると、ダウンリンク物理リソースの無線フレーム内で物理報知チャンネルの繰返し送信を受信するように動作可能である受信ロジックを含むワイヤレス通信ユーザ機器が提供される。
【００４０】
一実施形態では、受信ロジックは無線フレーム内で複数回、物理報知チャンネルの繰返し送信を受信するように動作可能である。
【００４１】
一実施形態では、その受信ロジックは無線フレーム内で物理報知チャンネルの繰返し送信の複数のパターンの内の１つを有する物理報知チャンネルの繰返し送信を受信するように動作可能である。
【００４２】
一実施形態では、繰返し送信の複数のパターンは無線フレーム内で物理報知チャンネルの繰返し送信の入れ子集合を含む。
【００４３】
一実施形態では、少ない繰返し送信数を有するパターンは多い繰返し送信数を有するパターンのサブセットを含む。
【００４４】
一実施形態では、ユーザ機器は繰返し送信の複数のパターンの間で選択するように動作可能である選択ロジックを含む。
【００４５】
一実施形態では、その選択ロジックは第１の期間では少ない繰返し数を有する複数のパターンの内の１つを選択し、第２の期間では多い繰返し数を有する複数のパターンの内の１つを選択するように動作可能である。
【００４６】
一実施形態では、繰返しは物理報知チャンネルによって伝えられる情報のサブセットの繰返し送信を含む。
【００４７】
一実施形態では、物理報知チャンネルは無線フレーム内でその繰返しの表示を伝える。
【００４８】
第５の態様によると、コンピュータで実行されるとき、第１または第３の態様の方法ステップを行うように動作可能であるコンピュータ・プログラム製品が提供される。
【００４９】
さらに、特定の、および好ましい態様が添付の独立請求項および従属請求項に列挙されている。従属請求項の特徴は適切に、および請求項で明示的に列挙された以外の組合せで独立請求項の特徴と組み合わされ得る。
【００５０】
装置の特徴が機能を提供するように動作できるものとして記載されている場合、これはその機能を提供し、またはその機能を提供するように適応または構成されている装置の特徴を含むということが理解されよう。
【００５１】
ここで、添付の図面を参照して本発明の実施形態がさらに説明される。
【図面の簡単な説明】
【００５２】
【図１】既存カバレッジと目標カバレッジ拡張を示してセルのカバレッジを説明する図である。
【図２】一実施形態による繰返しパターンの入れ子集合を説明する図である。
【図３】一実施形態による異なるカバレッジ・レベルで動作する２つの基地局を説明する図である。
【発明を実施するための形態】
【００５３】
概要
より詳細に実施形態を論じる前に、先ず概要を提供する。実施形態は、例えば物理報知チャンネル（ＰＢＣＨ：Ｐｙｓｉｃａｌ  Ｂｒｏａｄｃａｓｔｉｎｇ  Ｃｈａｎｎｅｌ）などの報知チャンネルのために複数の選択可能な繰返しパターンを有する構成を提供し、そこでは各繰返しパターンはカバレッジ拡張の目標量を提供するために特定の繰返し数を含んでいる。繰返しパターンは少なくとも、
−  各セルは異なる目標カバレッジ拡張を持ち得るのでネットワーク内の異なるセルにおいて異なる選択パターンおよび／または
−  異なる時に異なる選択パターン、即ち時が経つにつれて変化することができる選択パターン
の内の１つであることが可能である。
【００５４】
例えばＭＴＣデバイスなどのユーザ機器はＰＢＣＨをブラインド復号する、即ちＰＢＣＨの復号をやり遂げるまでＭＴＣデバイスは全ての繰返しパターンを試みるだろう。
【００５５】
繰返しパターン
典型的には、繰返しパターンは、繰返し数の少ない繰返しパターンが繰返し数の多い他の繰返しパターンのサブセットであるように構成される。即ち、繰返しパターンは、図２に示されるように入れ子構造を形成し、そこでは既存の長期的展開（ＬＴＥ：Ｌｏｎｇ−Ｔｅｒｍ  Ｅｖｏｌｕｔｉｏｎ）である４０ｍｓのＰＢＣＨ期間が使用されると仮定される。図２において、パターン１は最大数（即ち１２回）の繰返しを有し、また図２は、それぞれが少ない繰返し数を有する、パターン２（６回）とパターン３（３回）のための繰返しパターンも含んでいる。
【００５６】
これにより、発展型ノードＢ（ｅＮＢ：ｅｖｏｌｖｅｄ  ｎｏｄｅ  Ｂ）が２０ｄＢのカバレッジ拡張のためにパターン１を使用していても、より低レベル（例えば１４ｄＢ）のカバレッジ拡張を必要とするＭＴＣデバイスは、ＰＢＣＨを得るためにパターン３を使用することができるようになり、それによりブラインド復号数が低減される。一方、パターン１を使用するＭＴＣデバイスは、ｅＮＢがパターン２を使用するならＰＢＣＨを成功裏に復号することができない可能性がある。したがって、ｅＮＢは、目標カバレッジ内にないＭＴＣデバイスを除外することができ、別の時、別のカバレッジ・レベルでＭＴＣデバイスをスケジュールするために使用することができる。
【００５７】
図２に示された構成は連続したスロットで送信される繰返しを示しているが、そうである必要はなく、他の非連続スロットが繰返しを行うのに使用されてもよいということが理解されよう。
【００５８】
繰返しフォーマット
一実施形態では、既存のＰＢＣＨはカバレッジ拡張に使用されるＰＢＣＨのフォーマットとは異なるフォーマットを有するが、それらが同じであることもあり得る。例えば、余分な繰返しは、報知チャンネルの情報のサブセットのみに適用される可能性がある。このことは、拡張カバレッジ領域にあるＭＴＣデバイスは報知チャンネル情報のサブセットにのみアクセスすることができるということになる。特に、繰り返される必要がある報知チャンネル情報の量を低減するために、次の手段の内の１つまたは複数が適用され得る。
−  物理ダウンリンク制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）ではなく強化物理ダウンリンク制御チャンネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）がダウンリンク制御信号伝達のために使用される場合、制御チャンネルフォーマット情報（物理ハイブリッド自動再送要求指示チャンネル（ＰＨＩＣＨ：Ｐｈｙｓｉｃａｌ  ｈｙｂｒｉｄ  ＡＲＱ  ｉｎｄｉｃａｔｏｒ  ｃｈａｎｎｅｌ））は不要である可能性がある。
−  余分な繰返しの場合に、システム帯域幅は予め定められ得るか、または可能な帯域幅の減少したセットから選ばれ得る。
−  余分な繰返しの場合に、ｅＮＢアンテナの数は予め定められ得るか、または可能な帯域幅の減少したセットから選ばれ得る。
【００５９】
例示の構成および動作
２０ｄＢのカバレッジ改善は、ユーザ機器が高減衰ロケーションに位置するとき、周波数分割二重化（ＦＤＤ：ｆｒｅｑｕｅｃｙ  ｄｉｖｉｓｉｏｎ  ｄｕｐｌｅｘｉｎｇ）のための物理アップリンク共有チャンネル（ＰＵＳＣＨ：Ｐｈｙｓｉｃａｌ  Ｕｐｌｉｎｋ  Ｓｈａｒｅｄ  Ｃｈａｎｎｅｌ）である、最も弱い物理チャンネルに対して要求される改善である。しかしながら、他のチャンネルに対しては２０ｄＢより少ない改善で十分である。ＰＢＣＨに対しては、要求される改善は１１．７ｄＢ（Ｒ１−１３０４６２を参照されたい）であり、１５回の繰返しを必要とする。
【００６０】
この例示の構成では３つのカバレッジ・レベルが定められている。
１）通常カバレッジ：これはレガシーＵＥにサービスを提供するのに使用されるカバレッジである。このカバレッジは既存のＰＢＣＨに何らの変更（例えば余分な繰返し）も必要としない。
２）拡張カバレッジ・レベル１：このカバレッジは１４ｄＢまでのカバレッジ・ホールを有するセル端でのＭＴＣデバイスに（即ち、最も弱い物理チャンネルであるＰＵＳＣＨに対して）サービスを提供するのに使用される。このカバレッジ・レベルに対してＰＢＣＨは（６ｄＢのカバレッジ拡張のために）４回繰り返される。
３）拡張カバレッジ・レベル２：これは２０ｄＢまでのカバレッジ・ホールを有するセル端でのＭＴＣデバイスに（即ち、最も弱い物理チャンネルであるＰＵＳＣＨに対して）サービスを提供するのに使用されるカバレッジである。このカバレッジ・レベルに対してＰＢＣＨは（１１．７ｄＢのカバレッジ拡張のために）１５回繰り返される。
【００６１】
図３は異なるカバレッジ・レベルを有する２つのｅＮＢ（ｅＮＢ１およびｅＮＢ２）を示す。ＭＴＣデバイス（ＭＴＣ１〜ＭＴＣ５）は、遅延に寛容であり送信すべき小さい（例えば、メータ読取り更新のための）パケットを有するスマート・メータ用に使用される。これらのスマート・メータは、忙しくない時間帯、例えば午前１時から午前４時までの間に動作するようにプログラミングされている。日中、ｅＮＢは例えばＵＥ１およびＵＥ２にサービスを提供するため通常カバレッジのみを使用して動作する。拡張カバレッジ・レベル１およびレベル２はこの時間には設定されておらず、したがってＭＴＣ２，ＭＴＣ３，ＭＴＣ４およびＭＴＣ５に対するカバレッジは存在しない。
【００６２】
午前１時から午前２時の間
・  ｅＮＢ１はまだＵＥ１からのかなりのトラフィックを持ち、したがって通常カバレッジで動作する。このことは、ＭＴＣ２およびＭＴＣ４についてのトラフィックを回避し、また大きなリソースを費消してＵＥ１からリソースを奪うことになる大量の繰返しを免れる。ここで、ＭＴＣ１だけが、追加の繰返しを必要とすることなく、ｅＮＢ１からのサービスおよび更新を受けることができる。
・  ｅＮＢ２はＵＥ２が非常に少ないトラフィックを持つため非常に低い負荷を持っている。それは、拡張カバレッジ・レベル１から開始し、ＭＴＣ３にサービスを提供する。ＰＢＣＨは４回繰り返されるが、ＭＴＣ３は、上述のように、ＰＵＳＣＨに対して少なくとも２５回の繰返しを要求する。
【００６３】
午前２時から午前３時の間
・  ＵＥ１からのｅＮＢ１トラフィックはダウン停止してしまっており、ｅＮＢ１は、したがって拡張カバレッジ・レベル１で動作するように切り替える。すると、ＭＴＣ１およびＭＴＣ２はｅＮＢ１からのサービスを受けることができる。
・  ｅＮＢ２はそのカバレッジ・レベルを拡張カバレッジ・レベル２に変える。すると、ＭＴＣ５はｅＮＢ２からのサービスを受けることができる。上述のように、ＰＢＣＨの入れ子繰返しは、ＭＴＣ３が（いまや、より高い繰返しレベルにある）ＰＢＣＨを復号するために少ない繰返しレベルを使用することを可能にする。ＰＢＣＨは１５回繰り返されるが、ＭＴＣ５は、上述のように、そのＰＵＳＣＨ上で少なくとも１００回の繰返しを必要としよう。
・  ＭＴＣ１およびＭＴＣ３は、それらのデータ送信を既に完了している可能性が高く、そのため、ｅＮＢ１およびｅＮＢ２が、拡張カバレッジを有する期間、ＭＴＣ１およびＭＴＣ３をカバーする必要がある場合もない場合もある。
【００６４】
午前３時から午前４時の間
・  ｅＮＢ１はそのカバレッジ・レベルを拡張カバレッジ・レベル２に変える。すると、ＭＴＣ４はｅＮＢ１からサービスを受けることができる。
・  ｅＮＢ２はそのカバレッジ・レベルを拡張カバレッジ・レベル２に維持し、ＵＥ２、ＭＴＣ３およびＭＴＣ５にサービスを提供する。
・  ＭＴＣ１、ＭＴＣ２、ＭＴＣ３およびＭＴＣ５は、それらのデータ送信を既に完了している可能性が高く、そのため、ｅＮＢ１およびｅＮＢ２が、拡張カバレッジを有する期間、それらのＭＴＣデバイスをカバーする必要がある場合もない場合もある、ということに注意されたい。
【００６５】
午前４時以降
・  ｅＮＢ１およびｅＮＢ２は通常カバレッジへ戻り、ＭＴＣ２、ＭＴＣ３、ＭＴＣ４およびＭＴＣ５へのサービスを拒む。
【００６６】
カバレッジの異なるレベルのために、ＭＴＣデバイスの一部のみがそのＰＵＳＣＨでの繰返し（および他のチャンネルの対応する繰返し）にフルの１００回を必要とし、他のＭＴＣデバイスはかなり少ない（２５回の繰返し）を使用するということが理解されよう。また、大量の繰返しを必要とするＭＴＣデバイスは、（スケジューラが存在する）ｅＮＢによって制御される時間にそれらの繰返し／送信を行うよう動的にスケジュールされ得る。
【００６７】
カバレッジのレベルはセル間の動的データ・オフローディングを可能にするセル特性もある。ｅＮＢが、あるカバレッジ・レベル内でそれ自体のＭＴＣデバイス向けのデータ送信を終えることができれば、近隣セルのカバレッジ内でＭＴＣデバイスをカバーするため、ｅＮＢは早めに近隣セルへカバレッジを拡張することができる。２０ｄＢのカバレッジ拡張によって、ネットワークはカバレッジ拡張のない既存ネットワークのカバレッジよりはるかに多くのカバレッジ・オーバーラップを潜在的に持つことができる。
【００６８】
実施形態は、ＰＢＣＨの繰返しパターンを制御することによって、カバレッジ拡張の異なるレベルがｅＮＢにより管理されることを可能にする。
【００６９】
実施形態は、カバレッジ拡張の１つのレベル（即ち、２０ｄＢ）を有するだけの構成に比べて、より良いスペクトル効率を有し、ｅＮＢが（送信電力の何らの変更なく）カバレッジのレベルを制御するのを可能にする。
【００７０】
当業者は、上記方法の様々なステップはプログラミングされたコンピュータによって実行され得るということを容易に認識するであろう。本明細書において、一部の実施形態は、また、プログラム記憶デバイス、例えばデジタルデータ記憶媒体を包含することを意図しており、その媒体はマシン可読またはコンピュータ可読であり、マシン実行可能なまたはコンピュータ実行可能なプログラム命令を符号化し、前記命令は、上述の前記方法の一部または全てのステップを実行する。プログラム記憶デバイスは、例えば、デジタルメモリ、磁気ディスクや磁気テープなどの磁気記憶媒体、ハードドライブ、または光学的可読デジタルデータ記憶媒体である。実施形態は、また、上記方法の前記ステップを実行するようにプログラミングされたコンピュータを包含することを意図している。
【００７１】
「プロセッサ」または「ロジック」のようなラベル付きの機能ブロックを含め、図に示された様々な要素の機能は、適切なソフトウェアと関連するソフトウェアを実行することができるハードウェアだけでなく専用のハードウェアの使用によっても提供され得る。プロセッサによって提供されるとき、その機能は、単一の専用プロセッサ、単一の共有プロセッサ、またはそのうちのいくつかは共有されてもよい複数の個々のプロセッサによって提供され得る。さらに、用語「プロセッサ」または「コントローラ」または「ロジック」の明示的な使用は、ソフトウェアを実行することができるハードウェアのみを指すものと解釈されるべきではなく、デジタル・シグナル・プロセッサ（ＤＳＰ：Ｄｉｇｉｔａｌ  Ｓｉｇｎａｌ  Ｐｒｏｃｅｓｓｏｒ）ハードウェア、ネットワーク・プロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）、ソフトウェアを記憶するための読取り専用メモリ（ＲＯＭ）、ランダム・アクセス・メモリ（ＲＡＭ）および不揮発性ストレージを制限なく暗示的に含み得る。従来および／またはカスタムの他のハードウェアも含まれ得る。同様に、図に示されたいずれのスイッチも概念的であるにすぎない。それらの機能はプログラム・ロジックの動作によって、専用ロジックによって、プログラム制御と専用ロジックの相互作用によって、または手動ででも行うことができ、特定の技法は、状況からより具体的に理解されるので実行者により選択可能である。
【００７２】
本明細書におけるいずれのブロック図も本発明の原理を具現化する例示的な回路の概念図を表しているということが当業者には理解されよう。同様に、任意のフローチャート、フローダイアグラム、状態遷移図、疑似コード等は、コンピュータ可読媒体で実質上表され得、そのようなコンピュータまたはプロセッサが明示的に示されているか否かに関わりなく、コンピュータまたはプロセッサによって、そのように実行され得る様々なプロセスを表す、ということも理解されよう。
【００７３】
記述および図面は本発明の原理を単に例示すに過ぎない。したがって、当業者は、本明細書に明示的に記述または図示されていなくても本発明の原理を具現化し、その精神と範囲に含まれる様々な構成を考案することができるということが理解されるだろう。さらに、本明細書に列挙された全ての例は、読者が発明者によって捧げられた本発明の原理および概念を理解し、その技術を促進する上で支援する教育的な目的のためのみに、主に明確に意図されており、また、そのように具体的に列挙された例および条件に制限されないものと解釈されるべきである。さらに、その具体的な例だけでなく、本発明の原理、態様、および実施形態を本明細書で列挙している全ての記述は、それらの均等物を含むように意図されている。
【図１】
0006271703.tif 000002
【図２】
0006271703.tif 000003
【図３】
0006271703.tif 000004